(57)【要約】【課題】  同時に足、腰、胴体又は腕を揺動させて運動を行う揺動式運動装置を提供する。【解決手段】  ベース１１を有する支持部材１０と、該ベース１１に設けられる枢軸２１を有する軸部材２０と、揺動可能に該枢軸２１に設けられると共に、膝置き座３６を有する二本の揺動フレーム３１Ａ、３１Ｂと、揺動可能に該枢軸２１に設けられるハンドル装置４０と、を備えることを特徴とする。【選択図】  図１
0003120584.tif 000002
【実用新案登録請求の範囲】
【請求項１】
ベースを有する支持部材と、該ベースに設けられる枢軸を有する軸部材と、揺動可能に該枢軸に設けられると共に、膝置き座を有する二本の揺動フレームと、揺動可能に該枢軸に設けられるハンドル装置と、を備えることを特徴とする揺動式運動装置。
【請求項２】
前記揺動部材は、水平ロッド状の揺動フレームを有し、該揺動フレームの一端に枢軸に枢接するための枢設部が設けられると共に、外側に位置決め孔が形成され、且つ揺動フレームに摺動可能の可動フレームが設けられ、該可動フレームの両側に膝置き座が設けられ、
該揺動フレームにおける枢設部の付近に位置決めピンが設けられ、該ベースに位置決めピンを挿設するための位置決め孔が形成されることを特徴とする請求項１に記載の揺動式運動装置。
【請求項３】
前記揺動部材は、互いに軸部材に枢接する二つの揺動フレームを有し、該揺動フレームは、互いに嵌合する取付座と枢接部によって枢軸に枢設されると共に、中段に膝置き座が設けられ、
前記取付座に位置決め孔が形成され、該位置決め孔に位置決めピンが設けられ、該枢接部に固定プレートが設けられると共に、該固定プレートに位置決めピンを貫設するために少なくとも一つの固定孔が形成されることを特徴とする請求項１に記載の揺動式運動装置。
【考案の詳細な説明】
【技術分野】
【０００１】
本考案は、特に同時に足、腰、胴体又は腕を揺動させて運動を行う揺動式運動装置に関するものである。
【背景技術】
【０００２】
従来の運動器具は、例えばウォーカー、ステッパー、サイクルマシン又はマグネットバイクなどは、夫々体の異なる部位に対して運動効果を提供する。
【考案の開示】
【考案が解決しようとする課題】
【０００３】
しかしながら、腰を運動するための従来の運動器具は、円盤の回転により腰の運動を行う効果しか有しなく、足、胴体又は腕の運動効果は有しない。
【０００４】
そこで、案出されたのが本考案であって、同時に足、腰、胴体又は腕を揺動させて運動を行う揺動式運動装置を提供することを目的としている。
【課題を解決するための手段】
【０００５】
本願の請求項１の考案は、ベースを有する支持部材と、該ベースに設けられる枢軸を有する軸部材と、揺動可能に該枢軸に設けられると共に、膝置き座を有する二本の揺動フレームと、揺動可能に該枢軸に設けられるハンドル装置と、を備えることを特徴とする揺動式運動装置、を提供する。
【０００６】
本願の請求項２の考案は、前記揺動部材は、水平ロッド状の揺動フレームを有し、該揺動フレームの一端に枢軸に枢接するための枢設部が設けられると共に、外側に位置決め孔が形成され、且つ揺動フレームに摺動可能の可動フレームが設けられ、該可動フレームの両側に膝置き座が設けられ、
該揺動フレームにおける枢設部の付近に位置決めピンが設けられ、該ベースに位置決めピンを挿設するための位置決め孔が形成されることを特徴とする請求項１に記載の揺動式運動装置、を提供する。
【０００７】
本願の請求項３の考案は、前記揺動部材は、互いに軸部材に枢接する二つの揺動フレームを有し、該揺動フレームは、互いに嵌合する取付座と枢接部によって枢軸に枢設されると共に、中段に膝置き座が設けられ、
前記取付座に位置決め孔が形成され、該位置決め孔に位置決めピンが設けられ、該枢接部に固定プレートが設けられると共に、該固定プレートに位置決めピンを貫設するために少なくとも一つの固定孔が形成されることを特徴とする請求項１に記載の揺動式運動装置、を提供する。
【考案の効果】
【０００８】
本考案は上記の課題を解決するものであり、体全体、例えば腕や腰、足を揺動させるだけで簡単に運動効果を得ることができるものである。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る揺動式運動装置の第１実施例を示す斜視図であり、図２は本考案に係る揺動式運動装置の第１実施例を示す分解斜視図であり、図３は本考案に係る揺動式運動装置の第１実施例を使用する状態を示す側面図であり、図４は本考案に係る揺動式運動装置を示す部分拡大断面図であり、図５は本考案に係る揺動式運動装置の可動フレームを揺動フレームに調整する状態を示す部分斜視図であり、図６は本考案に係る揺動式運動装置の第１実施例を使用する状態を示す平面図であり、図７は本考案に係る揺動式運動装置の第２実施例を示す斜視図であり、図８は本考案に係る揺動式運動装置の第２実施例を示す分解斜視図である。
【００１１】
図１に示すように、本考案に係る揺動式運動装置の第１実施例は、支持部材（１０）と、該支持部材（１０）に取付ける軸部材（２０）と、回動可能に該軸部材（２０）に枢設される揺動部材（３０）と、回動可能に該軸部材（２０）に枢設されるハンドル装置（４０）と、を備え、もちろん該ハンドル装置（４０）は、需要に応じて支持部材（１０）に枢設しても良い。
【００１２】
図１乃至図３に示すように、前記支持部材（１０）は、矩形のベース（１１）を有し、該ベース（１１）の一端の底部に位置決めけプレート（１１１）が設けられ、該位置決めプレート（１１１）に第１支持パイプ（１２）が設けられ、該第１支持パイプ（１２）の下端に水平の第２支持パイプ（１３）が設けられ、ベース（１１）の他端の両側に取付フレーム（１４２）によって支持足（１４）が設けられる。
【００１３】
前記ベース（１１）の中段に軸孔（１１２）が形成されると共に、位置決めプレート（１１１）を有する該端に支持ロッド（１１３）が設けられ、該支持ロッド（１１３）の上端に固定部材（１１５）を有する取付プレート（１１４）が設けられ、該固定部材（１１５）は取付プレート（１１４）を貫通するボルトである。又、支持ロッド（１１３）と反対するベース（１１）の端に位置決め孔（１１６）が形成される。
【００１４】
又、図２乃至図４に示すように、前記軸部材（２０）は、下端にベース（１１）の軸孔（１１２）に固設する枢軸（２１）を有し、該枢軸（２１）に順序にワッシャ（２２）、揺動部材（３０）の枢設部（３２）、位置決め円盤（２３）、抵抗部材（２４）、ワッシャ（２５）、ハンドル装置（４０）の枢接部（４２）、調整円盤（２６）及びワッシャ（２７）を設けた後、締止部材（２８）が設けられる。
【００１５】
前記調整円盤（２６）に複数の係止孔（２６２）が形成され、締止部材（２８）に該係止孔（２６２）と係脱する係止ロッド（２８２）が設けられ、又、該締止部材（２８）の締止程度を調整することにより、揺動部材（３０）とハンドル装置（４０）を揺動する際の抵抗力を制御する。
【００１６】
図２、図４及び図５に示すように、前記揺動部材（３０）は、水平ロッド状の揺動フレーム（３１）を有し、該揺動フレーム（３１）の一端に枢軸（２１）に枢接するための枢設部（３２）が設けられると共に、外側にベース（１１）の位置決め孔（１１６）と対応する位置決め孔（３１２）が形成され、該位置決め孔（３１２）（１１６）に位置決めピン（３３）が挿設することにより、揺動部材（３０）を揺動可能か否かに制御する。
【００１７】
前記揺動フレーム（３１）の外側に複数の調整孔（３１４）が形成され、且つ揺動フレーム（３１）に摺動可能の可動フレーム（３４）が設けられ、該可動フレーム（３４）の中央に揺動フレーム（３１）に設けるための取付パイプ（３４２）が設けられ、該取付パイプ（３４２）に調整孔（３１４）と対応する貫通孔（３４４）が形成され、該貫通孔（３４４）と調整孔（３１４）に位置決め部材が挿設することにより、可動フレーム（３４）を揺動フレーム（３４）に位置決めする。又、該可動フレーム（３４）の両側に膝置き座（３６）が設けられる。
【００１８】
図２乃至図４に示すように、前記ハンドル装置（４０）は、水平ロッド状の連結パイプ（４１）を有し、該連結パイプ（４１）の一端に枢軸（２１）に枢設するための枢接部（４２）が設けられると共に、他端にハンドル部（４３２）を有するコ字形のハンドルロッド（４３）が設けられる。又、該連結パイプ（４１）の下面に取付プレート（１１４）における固定部材（１１５）と対応する固定孔（４１２）が形成され、該固定部材（１１５）が固定孔（４１２）と螺合することにより、ハンドル装置（４０）を揺動可能か否かに制御する。
【００１９】
又、図３及び図６に示すように、本考案に係る揺動式運動装置を使用す場合、使用者の膝を揺動部材（３０）の膝置き座（３６）に置きながら、手がハンドル部（４３２）を握り、枢軸（２１）を回動中心としてハンドル装置（４０）又は揺動部材（３０）を揺動することにより、腰、胴体又は腕を同時に運動することができる。
【００２０】
図７及び図８に示すように、本考案に係る揺動式運動装置の第２実施例は、前記実施例と同じように、支持部材（１０）と、軸部材（２０）と、揺動部材（３０）と、ハンドル装置（４０）と、を備え、主な異なるのは、揺動装置（３０）のみである。
【００２１】
前記支持部材（１０）に設けられる第１支持パイプ（１２）の底面に開口が形成され、該第２支持パイプ（１３）の中段に開口を通じて第１支持パイプ（１２）に挿入可能な連結パイプ（１３２）が設けられ、該第１支持パイプ（１２）に連結パイプ（１３２）を位置決めする固定部材（１２２）が設けられることにより、支持部材（１０）の高さを調整できる。
【００２２】
又、図７及び図８に示すように、前記揺動部材（３０）は、互いに軸部材（２０）に枢接する二つの揺動フレーム（３１Ａ）（３１Ｂ）を有し、該揺動フレーム（３１Ａ）（３１Ｂ）は、互いに嵌合する取付座（３７）と枢接部（３８）によって枢軸（２１）に枢設されると共に、中段に膝置き座（３６）が設けられる。
【００２３】
前記揺動フレーム（３１Ａ）の一端が取付座（３７）に溶接され、該取付座（３７）は、軸孔（３７２）を有するコ字形のフレームであり、該軸孔（３７２）にワッシャ（３７４）が設けられることにより、取付座（３７）が枢軸（２１）に対して回動することができ、又、該取付座（３７）に枢接部（３８）を収容するための中空部（３７６）が形成されると共に、該中空部（３７６）の開口縁に位置決めピン（３３）を挿入可能な位置決め孔（３８）が形成される。
【００２４】
前記揺動フレーム（３１Ｂ）の一端が枢接部（３８）に溶接され、該枢接部（３８）の中央に枢軸（２１）を貫設するための軸孔（３８）が形成され、該枢接部（３８）に固定プレート（３９）が設けられると共に、該固定プレート（３９）に位置決めピン（３３）を貫設するために三つの固定孔（３９２）が形成され、該位置決めピン（３３）が位置決め孔（３７８）と固定孔（３９２）に挿入することにより、揺動フレーム（３１Ａ）（３１Ｂ）の相互の角度を制御できる。
【産業上の利用可能性】
【００２５】
本考案は上記の構成を有するので、体全体、例えば腕や腰、足を揺動させるだけで簡単に運動効果を得ることができるものである。
【図面の簡単な説明】
【００２６】
【図１】本考案に係る揺動式運動装置の第１実施例を示す斜視図である。
【図２】本考案に係る揺動式運動装置の第１実施例を示す分解斜視図である。
【図３】本考案に係る揺動式運動装置の第１実施例を使用する状態を示す側面図である。
【図４】本考案に係る揺動式運動装置を示す部分拡大断面図である。
【図５】本考案に係る揺動式運動装置の可動フレームを揺動フレームに調整する状態を示す部分斜視図である。
【図６】本考案に係る揺動式運動装置の第１実施例を使用する状態を示す平面図である。
【図７】本考案に係る揺動式運動装置の第２実施例を示す斜視図である。
【図８】本考案に係る揺動式運動装置の第２実施例を示す分解斜視図である。
【符号の説明】
【００２７】
１０        支持部材
１１        ベース
１１１      位置決めプレート
１１２      軸孔
１１３      支持ロッド
１１４      取付プレート
１１５      固定部材
１１６      位置決め孔
１２        第１支持パイプ
１２２      固定部材
１３        第２支持パイプ
１３２      連結パイプ
１４        支持足
１４２      取付フレーム
２０        軸部材
２１        枢軸
２２        ワッシャ
２３        位置決め円盤
２４        抵抗部材
２５        ワッシャ
２６        調整円盤
２６２      係止孔
２７        ワッシャ
２８        締止部材
３０        揺動部材
３１        揺動フレーム
３１Ａ      揺動フレーム
３１Ｂ      揺動フレーム
３１２      位置決め孔
３１４      調整孔
３２        枢設部
３３        位置決めピン
３４        可動フレーム
３４２      取付パイプ
３４４      貫通孔
３５        位置決め部材
３６        膝置き座
３７        取付座
３７２      軸孔
３７４      ワッシャ
３７６      中空部
３７８      位置決め孔
３８        枢接部
３８２      軸孔
３９        固定プレート
３９２      固定孔
４０        ハンドル装置
４１        連結パイプ
４１２      固定孔
４２        枢接部
４３        ハンドルロッド
４３２      ハンドル部
【図１】
0003120584.tif 000003
【図２】
0003120584.tif 000004
【図３】
0003120584.tif 000005
【図４】
0003120584.tif 000006
【図５】
0003120584.tif 000007
【図６】
0003120584.tif 000008
【図７】
0003120584.tif 000009
【図８】
0003120584.tif 000010